(57)【要約】      （修正有）【課題】液体物質の分子細化装置を提供する。【解決手段】液体物質の分子細化装置は、対応設置される２つの殻体１と、２つの殻体間に弾性体５１を貫通設置した結合部材５により接続され、相互に結合定位し、殻体内に導磁棒２を設置し、導磁棒の二側が内から外へ磁性材３、磁性吸引パッド４を設置し、各磁性材の磁極が同一であり、２つの導磁棒に単一の磁極を呈させ、且つ相互の磁極を同一にさせ、２つの殻体の相互に対応する一端に挟持凸部１５を突出し、導磁棒と共同接触して液体を伝送する管体を挟持する。２つの導磁棒の磁極が同一であることにより、２つの導磁棒の間の磁力に衝撃を発生させることができ、２つの導磁棒の間の液体を介し、磁力衝撃の影響を受け、分子細化の効果を達成し、同時に弾性体を貫通設置した結合部材を利用し、２つの殻体を相互に結合定位させ、液体物質を伝送する管体の管径の大きさに応じさせることができる。【選択図】図１
0003185489.tif 000002
【実用新案登録請求の範囲】
【請求項１】
対応設置される２つの殻体と、２つの殻体内にそれぞれ設置される少なくとも２つの導磁棒と、少なくとも４つの磁性材と、少なくとも４つの磁性吸引パッドと、２つの殻体に結合する複数の結合部材と、を含み、
該殻体は、２つの側壁体を有し、２つの側壁体の一端が端壁体のＵ形枠体に接続し、２つの側壁体の内側表面に第１定位溝を設け、２つの側壁体の外側表面一体に外向きに耳部を延伸し、２つの側壁体の端壁体から離れた一端に挟持凸部を形成し、端壁体の内側表面に第２定位溝を設け、
該磁性吸引パッドは、殻体の側壁体内側表面の第１定位溝中に嵌合固定され、該磁性材は、各磁性吸引パッドの内側に設置され、各磁性材の磁極が同一であり、
該導磁棒は、２つの磁性材の間に設置され、２つの導磁棒に単一磁極を呈させ、且つ互いの磁極が同一であり、該導磁棒が殻体の端壁体の一端に向けて定位部を設け、該定位部は、端壁体内側表面の第２定位溝中に対応し、導磁棒の殻体の端壁体から離れた一端に弧形係止部を設け、該弧形係止部及び挟持凸部が挟持面を構成し、液他物質を伝送する管体を挟持し、該結合部材は、２つの液体の耳部を貫通し、互いに結合固定し、２つの殻体の互いに対応する耳部の間に弾性体を設け、且つ結合部材を貫通設置させる液体物質の分子細化装置。
【請求項２】
前記磁性吸引パッドの端壁体の一端に向けて磁性材を突出する長さは、該磁性吸引パッドの端壁体から離れる一端が磁性材を突出する長さより長い請求項１に記載の液体物質の分子細化装置。
【請求項３】
前記殻体の二側壁体は、貫通する貫通孔を設け、殻体の上下側開放箇所に片体を被せ設け、定位部材により上片体、殻体貫通孔及び下片体を貫通設置し、上下片体は、殻体の上下側開放箇所に被せ設けられ、固定される請求項１又は請求項２に記載の液体物質の分子細化装置。
【請求項４】
前記磁棒及び磁性吸引パッドは、金属材質を採用し、且つ導磁棒は、純鉄材質であることが最も好ましく、磁性吸引パッドは、含鉄材質であることが最も好ましい請求項１に記載の液体物質の分子細化装置。
【考案の詳細な説明】
【技術分野】
【０００１】
本考案は、分子細化装置に関し、特に、同一磁極の磁力衝撃を介し、液体物資、例えば、水、油、射出可塑原料等の分子を細化させ、使用端の変換又は吸収効率を向上する分子細化装置に関する。
【背景技術】
【０００２】
現在、市場でよく見られる省油器は、主に油管内に磁性部材を設置するか、油管外に磁性部材を設置し、磁性部材が発生する磁力線及び遠赤外線の作用を油に利用し、油の分子を細化し、エンジンの動作時に好適な燃焼爆発効果を有する。
【０００３】
中華民国証書番号第Ｍ３０４５８０号の磁化省油器の実用新案は、２つの半円弧形磁力台から構成される。該２つの磁力台は、互いに向き合い吸着し、それは、何れも半円弧を等分した２つの耐高温型永久強力磁石を有し、２つの強力磁石の隣り合う側の間は、緊密に吸着し、その内面の間は、それぞれ半円形束管溝を形成し、また、２つの強力磁石の２つの端は、何れも端蓋を吸着し、その外縁は、何れも導磁石片を被覆し、導磁石片は、鉄、低炭素鋼、コバルト、ニッケル等の材質で形成される。強力磁石の磁力線の流動方向に対し、誘導作用を発生させ、両端のＮ，Ｓ極へ平均に集中させ、導磁石片の外部は、何れもゴムカバーを被せ設ける。これにより、２つの磁力台を車両の油管の外部へ吸着挟持でき、油管が極めて強い磁力透過性を発生し、油管を流れるガソリンに高度に酸素化した炭酸化合物を磁化形成でき、良好な燃焼効率を獲得でき、更にエンジンの性能を向上し、油消耗を低減することができる。
【０００４】
台湾証書番号第Ｍ４０５４７７号の省油加速器構造改良の実用新案は、互いに対応設置された半内凹弧状の上半殻体及び下半殻体の一側が接続片により構成され、差異として該接続片一端にフック材及び限位ブロックを設置し、該上半殻体及び下半殻体の半凹弧状の二側の弧底上に嵌合ブロックを設置し、該上半殻体及び下半殻体内にそれぞれ上下処理部材を挿入設置し、該上下処理部材は、互いに対応設置される半弧状を呈して設置され、該上処理部材及び下処理部材の両側の弧上は、嵌合凹溝を設置し、該上処理部材及び下処理部材の外縁弧箇所に限位凹溝を設置し、磁性部材を被せ設けさせ、上半殻体及び下半殻体のフック部材及び限位ブロックの係合により、並びに上半殻体及び下半殻体が半内凹弧状設置を呈することにより、該処理部材を殻体内に完全に被覆させ、磁性部材の磁場対流により、遠赤外線が有する衝撃効果を加速可能な省油加速器である。
【０００５】
上記２つの実用新案の省油器は、ただ単一の管径の油管上に適用され、即ち、異なる管径の油管と結合する時、該油管管径に適合した省油器を準備しなければならず、使用者の実際の使用において、不便をもたらし、業者も多くの異なる寸法の鋳型を開設する必要があり、コスト負担を増加し、異なる磁極間で単純に磁性吸着効果を発生するだけであるので、油に対し衝撃を発生し、分子を細化できず、その油分子を細化する効果が相当有限である。
【先行技術文献】
【特許文献】
【０００６】
【特許文献１】中華民国証書番号第Ｍ３０４５８０号
【特許文献２】台湾証書番号第Ｍ４０５４７７号
【特許文献３】特開平１０−２２０３０８号公報
【考案の概要】
【考案が解決しようとする課題】
【０００７】
本考案の目的は、管体の管径の異なる大きさに応じて良好な液体分子細化の効果を確実に達成できる細化装置を提供することである。
【課題を解決するための手段】
【０００８】
上記本考案の目的及び効果は、以下の具体的技術手段により達成する：液体物質の分子細化装置であり、対応設置される２つの殻体と、２つの殻体内にそれぞれ設置される２つの導磁棒と、４つの磁性材と、４つの磁性吸引パッドと、２つの殻体に結合する複数の結合部材と、を含み、該殻体は、２つの側壁体を有し、２つの側壁体一端が端壁体のＵ形枠体に接続し、２つの側壁体の内側表面に第１定位溝を設け、２つの側壁体の外側表面一体に外向きに耳部を延伸し、２つの側壁体の端壁体から離れた一端に挟持凸部を形成し、端壁体の内側表面に第２定位溝を設け、
これにより、それぞれ２つの殻体の２つの側壁体内側表面の第１定位溝中に磁性吸引パッドを嵌合固定し、更に、各磁性吸引パッドの内側に磁性材を設置し、２つの磁性材の間に導磁棒を設置し、各磁性材の磁極が同一であり、２つの導磁棒に単一磁極を呈させ、且つ互いの磁極が同一であり、該導磁棒が殻体の端壁体の一端に向けて定位部を設け、該定位部は、端壁体内側表面の第２定位溝中に対応し、導磁棒の殻体の端壁体から離れた一端に弧形係止部を設け、該弧形係止部及び挟持凸部が挟持面を構成し、液他物質を伝送する管体を挟持し、該結合部材は、２つの液体の耳部を貫通し、互いに結合固定し、２つの殻体の互いに対応する耳部の間に弾性体を設け、且つ、結合部材を貫通設置させる。
【０００９】
上記の液体物質の分子細化装置において、該磁性吸引パッドの端壁体の一端に向けて磁性材を突出する長さは、該磁性吸引パッドの端壁体から離れる一端が磁性材を突出する長さより長い。前記液体物質の分子細化装置において、殻体は、アルミ材質を採用する。
【００１０】
前記液体物質の分子細化装置において、殻体の二側壁体は、貫通する貫通孔を設け、殻体の上下側開放箇所に片体を被せ設け、定位部材により上片体、殻体貫通孔及び下片体を貫通設置し、上下片体は、殻体の上下側開放箇所に被せ設けられ、固定される。
前記液体物質の分子細化装置において、導磁棒は、純鉄材質を採用する。
前記液体物質の分子細化装置において、磁性吸引パッドは、含鉄材質を採用する。
【考案の効果】
【００１１】
本考案の液体物質の分子細化装置は、以下の利点を有する：
１．本考案は、各磁性材の磁極が同一であり、２つの導磁棒に単一の磁極を呈させ、且つ相互の磁極が同一であり、２つの導磁棒の間の磁力に衝撃を発生させ、液体材質が２つの導磁棒の間を通過する時、磁力衝撃の影響を受け、分子細化の効果を確実に達成する。
２．本考案が利用する導磁棒の弧形係止部及び殻体が突出する挟持凸部が構成する挟持面を利用し、液体物質を伝送する管体を挟持し、且つ２つの殻体の耳部を通過し、２つの殻体を相互に結合固定する結合部材上に弾性体を貫通設置し、２つの殻体の間の距離に弾性調整空間をもたせることができ、液体物質を伝送する管体の管径の大きさに応じることができる。
【図面の簡単な説明】
【００１２】
【図１】本考案の液体物質の分子細化装置の好適実施例の立体分解図である。
【図２】本考案の液体物質の分子細化装置の好適実施例の立体組み合わせ図である。
【図３】本考案の実施説明図１である。
【図４】本考案の実施説明図２である。
【考案を実施するための形態】
【００１３】
図１から４を参照して説明するが、本考案の液体物質の分子細化装置は、対応設置される２つの殻体１と、２つの殻体１内にそれぞれ設置される２つの導磁棒２と、４つの磁性材３と、４つの磁性吸引パッド４と、２つの殻体１に結合する複数の結合部材５と、を含む（図２、図３参照）。
該殻体１は、２つの側壁体１１を有し、２つの側壁体１１の一端が端壁体１２のＵ形枠体に接続し、２つの側壁体１１の内側表面に第１定位溝１３を設け、２つの側壁体１１の外側表面一体に外向きに耳部１４を延伸し、２つの側壁体１１の端壁体１２から離れた一端に挟持凸部１５を形成し、端壁体１２の内側表面に第２定位溝１６を設け、殻体１の２つの側壁体１１に貫通する貫通孔１７を設ける。
【００１４】
、殻体１の上下側開放箇所に片体１８を被せ設け、定位部材１９により上片体１８、殻体１の貫通孔１７及び下片体１８を貫通設置し、上下片体１８が殻体１の上下側開放箇所に被せ設けられ固定される。
前記導磁棒２は、純鉄の金属材質を採用し、該導磁棒２は、２つの磁性材３の間に設置され、２つの導磁棒２が単一磁極を呈し、且つ互いの磁極が同一であり、該導磁棒２が殻体１の端壁体１２の一端に向けて定位部２１を設け、該定位部２１は、端壁体１２内側表面の第２定位溝１６中に対応し、導磁棒２の殻体１の端壁体１２から離れた一端に弧形係止部２２を設け、該弧形係止部２２及び殻体１の挟持凸部１５が挟持面を構成し、液他物質を伝送する管体６を挟持する。
【００１５】
前記磁性材３は、各磁性吸引パッド４の内側に設置され、導磁棒２の二側に位置し、各磁性材３の磁極が同一であり、
該磁性吸引パッド４は、含鉄の金属材質を採用し、それぞれ殻体１の側壁体１１内側表面の第１定位溝１３中に嵌め込まれ、磁性吸引パッド４を第１定位溝１３に固定し、該磁性吸引パッド４が端壁体１２の一端へ磁性材３を突出する長さＬ１は、該磁性吸引パッド４が端壁体１２の一端に磁性材３を突出する長さＬ２より長い。
【００１６】
前記結合部材５は、２つの殻体１の互いに対応する耳部１４を貫通し、２つの板体１の互いに対応する耳部１４の間に弾性体５１を設け、２つの殻体１を相互の結合固定することができるだけでなく、結合部材５が貫通設置する弾性体５１が２つの殻体１の互いに対応する耳部１４の間に位置することにより、２つの殻体１の間の距離に弾性調整空間をもたせ、液体物質を伝送する管体６の管径の大きさに応じさせることができる（図３，図４参照）。
【００１７】
これにより、２つの殻体１内の各磁性材３の磁極が同一であることにより、互いに対応設置される２つの導磁棒２に単一電極を呈させ、且つ相互の電極を同一にし、２つの電磁棒２の間に磁力衝撃減少を発生させ、液体材質が２つの導磁棒２の間を通過する時、磁力衝撃により液体物質の分子を細化することができる。
【符号の説明】
【００１８】
１    殻体
１１  側壁体
１２  端壁体
１３  第１定位溝
１４  耳部
１５  挟持凸部
１６  第２定位溝
１７  貫通孔
１８  片体
１９  定位部材
２    導磁棒
２１  定位部
２２  弧形係止部
３    磁性材
４    磁性吸引パッド
５    結合部材
５１  弾性体
６    管体
【図１】
0003185489.tif 000003
【図２】
0003185489.tif 000004
【図３】
0003185489.tif 000005
【図４】
0003185489.tif 000006